(57)【特許請求の範囲】
【請求項１】
一枚のブランクを折り曲げて形成されるフランジ付きの外容器に、別の一枚のブランクを折り曲げて形成されるフランジ付きの内容器を嵌め入れて、互いのフランジ同士を重ねて接合させて外容器と内容器の間に断熱層を形成させた紙製断熱容器であって、
前記外容器は、底面板が六角形以上の偶数多角形をなし、底面板の谷折り線の各辺に、交互に外方が内方より幅広の台形状の第１下部側面板と第２下部側面板が連設され、第１下部側面板の上端には谷折り線を介して外方が内方より幅広の台形状の第１側面板が連設され、第１側面板の上端には山折り線を介して第１フランジが連設され、第２下部側面板の両端には谷折り線を介して二等辺三角形状の舌片が連設され、上端には谷折り線を介して外方が内方より幅広の台形状の第２側面板が連設され、第２側面板の上端には山折り線を介して第２フランジが連設され、第１側面板の両端には谷折り線を介して直角三角形状の第１折り曲げ片が連設され、第２側面板の両端には谷折り線を介して直角三角形状の第２折り曲げ片が連設され、第１側面板と第２側面板とは山折り線を介して連設され、第１フランジの両端は第２フランジと平行に耳片が延設され、第１側面板の内面と第１折り曲げ片の内面とは互いに接合され、舌片は第１下部側面板の内側に折り込まれ、第２フランジの両端に第１フランジの耳片が接合され、
前記内容器は、底面板が六角形以上の偶数多角形をなし、底面板の谷折り線の各辺に、交互に外方が内方より幅広の台形状の第１側面板と第２側面板が連設され、第１側面板の両端には谷折り線を介して直角三角形状の第１折り曲げ片が連設され、第２側面板の両端には山折り線を介して直角三角形状の第２折り曲げ片が連設され、第１側面板と第２側面板とは谷折り線を介して連設され、第１側面板の上端には山折り線を介して第１フランジが連設され、第２側面板の上端には山折り線を介して第２フランジが連設され、第１フランジの両端は第２フランジと平行に耳片が延設され、第２側面板の外面と第２折り曲げ片の外面とは互いに接合され、第２フランジの両端に第１フランジの耳片が接合され、
外容器の第１側面板と内容器の第１側面板と、外容器の第２側面板と内容器の第２側面板とを、互いに重ねるようにして、外容器に内容器を嵌め入れ、外容器の第１フランジの内面と内容器の第１フランジの外面とを、外容器の第２フランジの内面と内容器の第２フランジの外面とをそれぞれ接合させ、外容器と内容器の間に断熱層を形成させたことを特徴とする紙製断熱容器。
【発明の詳細な説明】
【０００１】
【発明の属する技術分野】
本発明は、紙製断熱容器に関し、特には、１枚のブランクを折り曲げて形成した２つの紙容器を重ねて断熱層を形成した紙製断熱容器に関する。
【０００２】
【従来の技術】
従来、即席麺などの収容物に熱湯を注いで食する紙製の断熱容器としては、例えば、耐水加工した紙カップ本体の周壁の外側に波状紙を貼着し、さらに、波状紙の上から薄紙を貼着して空気断熱層を形成させた容器、紙カップの周壁に発泡インキ等の熱可塑性樹脂の塗布膜を形成させた後、加熱等により塗布膜を発泡させて発泡層を形成させた紙容器などが知られている。
【０００３】
ところが、これらの断熱容器は紙カップを使用しており、紙カップの製造上、定形のものしか製造できず、例えば丼形をした容器などは製造できなかった。
【０００４】
【発明が解決しようとする課題】
本発明は、以上のような問題点に着目してなされたもので、形状の自由度の高い、特に丼状をした紙製断熱容器を提供することを目的とする。
【０００５】
【課題を解決するための手段】
本発明は、一枚のブランクを折り曲げて形成されるフランジ付きの外容器に、別の一枚のブランクを折り曲げて形成されるフランジ付きの内容器を嵌め入れて、互いのフランジ同士を重ねて接合させて外容器と内容器の間に断熱層を形成させた紙製断熱容器であって、前記外容器は、底面板が六角形以上の偶数多角形をなし、底面板の谷折り線の各辺に、交互に外方が内方より幅広の台形状の第１下部側面板と第２下部側面板が連設され、第１下部側面板の上端には谷折り線を介して外方が内方より幅広の台形状の第１側面板が連設され、第１側面板の上端には山折り線を介して第１フランジが連設され、第２下部側面板の両端には谷折り線を介して二等辺三角形状の舌片が連設され、上端には谷折り線を介して外方が内方より幅広の台形状の第２側面板が連設され、第２側面板の上端には山折り線を介して第２フランジが連設され、第１側面板の両端には谷折り線を介して直角三角形状の第１折り曲げ片が連設され、第２側面板の両端には谷折り線を介して直角三角形状の第２折り曲げ片が連設され、第１側面板と第２側面板とは山折り線を介して連設され、第１フランジの両端は第２フランジと平行に耳片が延設され、第１側面板の内面と第１折り曲げ片の内面とは互いに接合され、舌片は第１下部側面板の内側に折り込まれ、第２フランジの両端に第１フランジの耳片が接合され、前記内容器は、底面板が六角形以上の偶数多角形をなし、底面板の谷折り線の各辺に、交互に外方が内方より幅広の台形状の第１側面板と第２側面板が連設され、第１側面板の両端には谷折り線を介して直角三角形状の第１折り曲げ片が連設され、第２側面板の両端には山折り線を介して直角三角形状の第２折り曲げ片が連設され、第１側面板と第２側面板とは谷折り線を介して連設され、第１側面板の上端には山折り線を介して第１フランジが連設され、第２側面板の上端には山折り線を介して第２フランジが連設され、第１フランジの両端は第２フランジと平行に耳片が延設され、第２側面板の外面と第２折り曲げ片の外面とは互いに接合され、第２フランジの両端に第１フランジの耳片が接合され、
外容器の第１側面板と内容器の第１側面板と、外容器の第２側面板と内容器の第２側面板とを、互いに重ねるようにして、外容器に内容器を嵌め入れ、外容器の第１フランジの内面と内容器の第１フランジの外面とを、外容器の第２フランジの内面と内容器の第２フランジの外面とをそれぞれ接合させ、外容器と内容器の間に断熱層を形成させたことを特徴とする紙製断熱容器である。
【０００６】
【作用】
上記のように本発明によれば、容器の側面は、外容器の第１、第２折り曲げ片の重なり合った部分と、内容器の第１、第２折り曲げ片の重なり合った部分とを互いにずらして内容器と外容器を重ねているので、これらの折り曲げ片が断熱層を形成して断熱効果を高めている。
また、容器の底面は、外容器の第１、第２フランジの内面と、内容器の第１、第２フランジの外面とを接合して内外容器を固定しているので、内容器底面の外側と、外容器底面の内側との間に断熱層が形成され断熱効果を高める。
【０００７】
外容器の第１、第２下部側面板の上端に谷折り線を介して第１、第２側面板が連設されているので、容器は丼状を形成する。
なお、ここで谷折り線および山折り線は、ブランクを加工する際は、単に折り曲げ線、すなわち罫線として加工され、折り曲げて容器にする際、それぞれ谷折りおよび山折りとされることを意味するものとする。
【０００８】
【発明の実施の形態】
以下実施例により本発明を詳細に説明する。
本発明の紙製断熱容器は、例えば図１（ａ）、（ｂ）に示すように、１枚のブランクを折り曲げて形成させたフランジ１５、１７付きの外容器１０に、もう１枚のブランクを折り曲げて形成させたフランジ２５、２７付きの内容器２０を嵌め入れて外容器のフランジと、内容器のフランジとを互いに接合させて外容器と内容器の間に断熱層３０を形成させたものである。
【０００９】
外容器１０は、図２に示すように底面板１１が六角形以上の偶数多角形（実施例では八角形）をしており、底面板１１の谷折り線ａの各辺に、交互に外方が内方より幅広の台形状の第１下部側面板１２と第２下部側面板１３が連設されている。
【００１０】
第１下部側面板の上端には谷折り線ａを介して外方が内方より幅広の台形状の第１側面板１４が連設され、第１側面板の上端には山折り線ｂを介して第１フランジ１５が連設されている。
【００１１】
第２下部側面板１３の両端には谷折り線ａを介して二等辺三角形状の舌片１３１が連設され、上端には谷折り線ａを介して外方が内方より幅広の台形状の第２側面板１６が連設され、第２側面板の上端には山折り線ｂを介して第２フランジ１７連設されている。
【００１２】
第１側面板１４の両端には、谷折り線ａを介して直角三角形状の第１折り曲げ片１４１が連設され、第２側面板１６の両端には、谷折り線ａを介して直角三角形状の第２折り曲げ片１６１が連設され、第１側面板と第２側面板とは山折り線ｂを介して連設されている。
【００１３】
第１フランジ１５の両端は、第２フランジ１６と平行に耳片１５１が延設されている。
【００１４】
第１側面板１４の内面と第１折り曲げ片１４１の内面とは互いに接着剤等を介して接合され、舌片１３１は第１下部側面板１２の内側に折り込まれ、第２フランジ１７の両端に第１フランジ１５の耳片１５１が接着剤等を介して接合され、外容器１０が形成されている。
【００１５】
外容器１０を形成するブランクには坪量が１８０〜５００ｇ／ｍ2 程度の白ライナー、コートボール、晒クラフト、アイボリー等の板紙が使用でき、必要に応じて表面に印刷表示層を設けても良いし、ポリエチレン樹脂等で薄膜状に耐水加工を施しても良い。
【００１６】
内容器２０は、図３に示すように底面板２１が六角形以上の偶数多角形（実施例では八角形）をしており、底面板２１の谷折り線ａの各辺に、交互に外方が内方より幅広の台形状の第１側面板２４と第２側面板２６が連設されている。
【００１７】
第１側面板２４の両端には、谷折り線ａを介して直角三角形状の第１折り曲げ片２４１が連設され、第２側面板２６の両端には、山折り線ｂを介して直角三角形状の第２折り曲げ片２６１が連設され、第１側面板と第２側面板とは谷折り線ａを介して連設されている。
【００１８】
第１側面板の上端には山折り線ｂを介して第１フランジ２５が連設され、第２側面板の上端には山折り線ｂを介して第２フランジ２７が連設され、第１フランジの両端は第２フランジと平行に耳片２５１が延設されている。
【００１９】
第２側面板２６の外面と第２折り曲げ片２６１の外面とは互いに熱接着等の手段により接合され、第２フランジ２７の両端に第１フランジ２５の耳片２５１が熱接着等の手段により接合され、内容器２０が形成されている。
【００２０】
内容器２０を形成するブランクには坪量が１９０〜３５０ｇ／ｍ2 程度のカップ原紙が好ましく使用でき、カップ原紙の内面または両面にポリエチレン樹脂等で薄膜状に耐水加工を施しておく。
【００２１】
最後に、外容器１０の第１側面板１４と内容器２０の第１側面板２４、外容器１０の第２側面板１６と内容器２０の第２側面板２６、とを互いに重ねるようにして、外容器に内容器を嵌め入れ、外容器の第１、第２の各フランジの内面と、内容器の第１、第２の各フランジの外面とをそれぞれ接着剤等を介するなどして接合させると、外容器と内容器の間に断熱層３０を形成させた本発明の紙製断熱容器１が作製できる。
【００２２】
このようにして作製した紙製断熱容器の断熱効果を評価するため、この容器に即席うどんを入れ熱湯を注いで３分間放置後、容器の側面と底面を指や掌等で握持したが、熱くて持てないということはなかった。
【００２３】
【発明の効果】
上記のように本発明の紙製断熱容器は、内容器、外容器とも１枚のブランクを組み立てて作製するため、形状の自由度が高く、例えば側面が段階的に傾斜する丼状をした容器も容易に作製できる。
外容器の折り曲げ片は容器の内側にあり、内容器の折り曲げ片は容器の外側にあるため、内外容器を組み合わせることによって折り曲げ片は一切表出しないので、外観上美しく仕上げることができる。
さらに、内外容器を組み合わせる際に折り曲げ片のある位置をずらして設けるため、組み立て後の外容器の各２重の折り曲げ片と内容器の側面板との組み合わせで４層に重なり高い断熱効果を備える。
【図面の簡単な説明】
【図１】本発明の紙製断熱容器の構造の一実施例を示す（ａ）は、縦断面説明図であり、（ｂ）は、Ａ−Ａ’線横断面部分説明図である。
【図２】本発明の紙製断熱容器を構成する外容器のブランクの一実施例を示す展開説明図である。
【図３】本発明の紙製断熱容器を構成する内容器のブランクの一実施例を示す展開説明図である。
【符号の説明】
１‥‥紙製断熱容器
１０‥‥外容器
１１、２１‥‥底面板
１２‥‥第１下部側面板
１３‥‥第２下部側面板
１４、２４‥‥第１側面板
１５、２５‥‥第１フランジ
１６、２６‥‥第２側面板
１７、２７‥‥第２フランジ
２０‥‥内容器
３０‥‥断熱層
１３１‥‥舌片
１４１、２４１‥‥第１折り曲げ片
１５１、２５１‥‥耳片
１６１、２６１‥‥第２折り曲げ片
ａ‥‥谷折り線
ｂ‥‥山折り線
【図１】
0003656408.tif 000002
【図２】
0003656408.tif 000003
【図３】
0003656408.tif 000004